(57)【要約】【課題】半導体光源を用いた照明装置において、広い発光面を形成できるとともに、発光面の輝度を向上させることができる照明装置を提供すること。【解決手段】半導体光源１４を用いた照明装置１において、少なくとも一部が透光性を有する材質で形成されて内部空洞１０を有する容器体９が設けられ、この容器体９が光を回折させる回折格子として構成され、半導体光源１４からの発光を容器体９の外部から内部に向かって照射する光源部１３が設けられている。【選択図】図６
2009093832.tif 000002
【特許請求の範囲】
【請求項１】
半導体光源を用いた照明装置において、少なくとも一部が透光性を有する材質で形成されて内部空洞を有する容器体が設けられ、該容器体が光を回折させる回折格子として構成され、前記半導体光源からの発光を前記容器体の外部から内部に向かって照射する光源部が設けられていることを特徴とする照明装置。
【請求項２】
前記光源部には、前記容器体の表面にて回折反射された光を前記容器体内部に向かって反射させる反射板が設けられていることを特徴とする請求項１に記載の照明装置。
【請求項３】
前記容器体の一部には、前記光源部からの光が集中される光集中部が形成されていることを特徴とする請求項１または２に記載の照明装置。
【請求項４】
前記容器体は、少なくとも一部が外方に膨出された形状となっていることを特徴とする請求項１ないし３のいずれかに記載の照明装置。
【請求項５】
前記容器体を覆うカバー体が設けられ、該カバー体における少なくとも前記容器体からの発光が透過する部位が、透光性を有する材質で形成され、かつ光を回折させる回折格子として構成されていることを特徴とする請求項１ないし４のいずれかに記載の照明装置。
【請求項６】
複数の前記容器体が連結される連結部が形成され、各々の前記容器体には、前記連結部に向かって前記半導体光源からの発光を照射するように前記光源部が設けられていることを特徴とする請求項１ないし５のいずれかに記載の照明装置。
【発明の詳細な説明】
【技術分野】
【０００１】
本発明は、ＬＥＤなどの消費電力が小さい半導体光源を用いた照明装置に関する。
【背景技術】
【０００２】
従来の蛍光灯や水銀灯を光源に用いた照明装置は、消費電力が大きいという問題があり、そこで近年、ＬＥＤやレーザ光のように消費電力が小さい半導体光源を用いた照明装置が開発され、このような照明装置が懐中電灯や室内灯や自動車のヘッドライトなどに用いられている。例えば、特許文献１に示すように、円錐形をなす蛍光発光体内に、光源となる紫外線ＬＥＤを収容し、この紫外線ＬＥＤを発光させると、蛍光発光体の表面全体に塗布された蛍光材料が、照射された紫外線によって発光するようにした照明具がある。
【０００３】
また、電球の形状をなす透光性カバー（容器体）の内面に蛍光体の層を形成し、その透光性カバーの内部にＬＥＤ素子を配置して、ＬＥＤ素子からの発光を蛍光体によって拡散させて、透光性カバーの表面全体を面発光させるＬＥＤ電球もある（例えば、特許文献２参照）。
【０００４】
更に、光透過性ガラス容器（容器体）内に金属蒸気及び希ガスを封入し、ガラス容器の内部に蛍光体層を形成するとともに、蛍光体層の一部を除去してＬＥＤからの発光をガラス容器内部に入射させる開口部を設け、この開口部から入射されたＬＥＤの光がガラス容器内に封入されたガスや蛍光体層により均一に拡散されて、ガラス容器全体が色むらなく面発光できるようにした光源もある（例えば、特許文献３参照）。
【０００５】
【特許文献１】特開２００２−３２９４０４号公報（第４頁、第１図）
【特許文献２】特開２００１−２４３８０７号公報（第３頁、第１図）
【特許文献３】特開２０００−１８２４０４号公報（第３頁、第１図）
【発明の開示】
【発明が解決しようとする課題】
【０００６】
しかしながら、特許文献１に記載のＬＥＤ照明具にあっては、光源に紫外線ＬＥＤ（半導体光源）を用いることで、消費電力が小さい照明具を作製できるが、円錐形の蛍光発光体（容器体）の表面全体（広い発光面）を、蛍光材料を利用することで発光させているため、明るい（高輝度）の照明具が作製できないという問題がある。
【０００７】
また、特許文献２に記載のＬＥＤ電球では、ＬＥＤ（半導体光源）からの発光は直進性が強いため、表面を面発光させる対象である立体的な透光性カバー（容器体）をＬＥＤに対して相対的に大きく形成すると、ＬＥＤの光を広い範囲に拡散させて透光性カバーの発光面全体（広い発光面）を明るく（高輝度）発光させられなくなるという問題がある。
【０００８】
更に、特許文献３に記載の光源では、製造工程が増加して煩雑になり、製造コストが嵩むばかりか、ガラス容器（容器体）内部に封入されたガスが漏れ出したり、ＬＥＤ（半導体光源）からの発光がガラス容器に設けられた蛍光体層や封入ガスを透過する際に弱まったりするという問題がある。
【０００９】
本発明は、このような問題点に着目してなされたもので、半導体光源を用いた照明装置において、広い発光面を形成できるとともに、発光面の輝度を向上させることができる照明装置を提供することを目的とする。
【課題を解決するための手段】
【００１０】
前記課題を解決するために、本発明の請求項１に記載の照明装置は、
半導体光源を用いた照明装置において、少なくとも一部が透光性を有する材質で形成されて内部空洞を有する容器体が設けられ、該容器体が光を回折させる回折格子として構成され、前記半導体光源からの発光を前記容器体の外部から内部に向かって照射する光源部が設けられていることを特徴としている。
この特徴によれば、光源部から放射された光が容器体を透過したり、容器体内で反射される度に、複数回回折されて容器体の表面から外部に放射され、容器体の表面をほぼ均等に面発光させることができ、かつ半導体光源からの発光が、回折により弱められることなく、容器体の表面から放射されるようになり、容器体の発光する表面の輝度を向上させることができる。
【００１１】
本発明の請求項２に記載の照明装置は、請求項１に記載の照明装置であって、
前記光源部には、前記容器体の表面にて回折反射された光を前記容器体内部に向かって反射させる反射板が設けられていることを特徴としている。
この特徴によれば、光源部から放射される光が容器体の表面にて回折されて反射され、その光をさらに反射板にて反射させて容器体に向かって導き、再び容器体の表面で回折させてから容器体内部に入射させることで、入射された光がより広い範囲で均等な光となって容器体内部で広がるようになり、容器体の表面を均等な発光面とすることができる。尚、回折格子となる部材を追加することなく、光源部に反射板を設けるだけで、半導体光源からの発光にように直進性の強い光を回折回数を増やして拡散させることができる。
【００１２】
本発明の請求項３に記載の照明装置は、請求項１または２に記載の照明装置であって、
前記容器体の一部には、前記光源部からの光が集中される光集中部が形成されていることを特徴としている。
この特徴によれば、光集中部に光が集中されるため、この光集中部が擬似的な光源部として構成されるようになり、照明装置の光度を向上させることができる。
【００１３】
本発明の請求項４に記載の照明装置は、請求項１ないし３のいずれかに記載の照明装置であって、
前記容器体は、少なくとも一部が外方に膨出された形状となっていることを特徴としている。
この特徴によれば、容器体を外方に膨出された部位に光源部からの発光が照射されると、膨出された部位全体が均等に面発光されるようになり、容器体における光源部から近い部位と遠い部位とで面発光に斑が生じないようにできる。
【００１４】
本発明の請求項５に記載の照明装置は、請求項１ないし４のいずれかに記載の照明装置であって、
前記容器体を覆うカバー体が設けられ、該カバー体における少なくとも前記容器体からの発光が透過する部位が、透光性を有する材質で形成され、かつ光を回折させる回折格子として構成されていることを特徴としている。
この特徴によれば、容器体にて回折された光がカバー体でも回折されるため、光源部から放射された光が回折される回数を増やして、カバー体の表面を面発光させることができる。
【００１５】
本発明の請求項６に記載の照明装置は、請求項１ないし５のいずれかに記載の照明装置であって、
複数の前記容器体が連結される連結部が形成され、各々の前記容器体には、前記連結部に向かって前記半導体光源からの発光を照射するように前記光源部が設けられていることを特徴としている。
この特徴によれば、連結部に光が集中されるため、この連結部が擬似的な光源部として構成されるようになり、照明装置の光度を向上させることができる。
【発明を実施するための最良の形態】
【００１６】
本発明に係る照明装置を実施するための最良の形態を実施例に基づいて以下に説明する。
【実施例１】
【００１７】
本発明の実施例を図面に基づいて説明すると、先ず図１は、実施例１におけるＬＥＤ照明装置を示す斜視図であり、図２は、ＬＥＤ照明装置を示す正面図であり、図３は、ＬＥＤ照明装置を示す側面図であり、図４は、ＬＥＤ照明装置の光源部を示す拡大縦断側面図であり、図５は、図２におけるＬＥＤ照明装置を示すＡ−Ａ拡大端面図であり、図６は、ＬＥＤ照明装置を示す概念側面図である。
【００１８】
図１の符号１は、本発明の適用されたＬＥＤ照明装置である。このＬＥＤ照明装置１は、主に屋外等に設置される街灯として使用される。ＬＥＤ照明装置１は、地面に設置されるベース部２から立設される矩形箱体状をなす制御ボックス３を有し、この制御ボックス３から上方に向かって発光部４が立設されている。
【００１９】
図１に示すように、発光部４は、その中央部が前後方向に膨らんだ略円柱形状に形成されている。尚、発光部４は、正面視で略長方形状をなすとともに、側面視で略紡錘形状をなしている（図２及び図３参照）。また、発光部４の上端部には、屋根部５が設けられている。制御ボックス３と屋根部５とは、発光部４の四隅角部に配置された金属製のフレーム部材６により連結されている。
【００２０】
図２及び図３に示すように、発光部４の四方外面には、カバー板７が配置されており、各々のカバー板７は、フレーム部材６により連結されている（図５参照）。尚、カバー板７及びフレーム部材６により本実施例におけるカバー体が構成されている。これら４枚のカバー板７は透光性を有する合成樹脂等の材質で形成されている。尚、カバー板７の内面全体には、後述するプリズムシート８（回折格子フィルム）が貼り付けられている。
【００２１】
カバー板７の内部には、２つの容器部９が配置されている。各々の容器部９は、内部空洞１０を有しており、透光性を有する合成樹脂等の材質で形成されている。尚、容器部９の外面全体及び内面全体には、後述するプリズムシート８（回折格子フィルム）が貼り付けられている。
【００２２】
この２つの容器部９は上下方向に並設され、その中央に形成された連結部１１により連結されている。尚、連結部１１は容器部９の一部分として形成されており、上下２つの容器部９は、連結部１１を介して一体的に形成されている。更に、それぞれの容器部９は、正面視で略長方形状をなし（図２参照）、連結部１１にゆくに従って窄まる形状に形成されているとともに、側面視で略紡錘形状をなしている（図３参照）。
【００２３】
図５に示すように、容器部９は横断平面視で矩形状をなし、容器部９を覆うように配置されたカバー板７によって、横断平面視で矩形状をなすように発光部４が形成されている。尚、カバー板７同士を連結する４つのフレーム部材６うち、１つのフレーム部材６の内部側には、制御ボックス３から屋根部５まで延びる電気ケーブル１２が配線されている。この電気ケーブル１２は、フレーム部材６により外方から隠蔽されている。
【００２４】
図３に示すように、制御ボックス３の上部側及び屋根部５の下部側には、上下に並設された各々の容器部９内に光を入射させる光源部１３が設けられている。尚、制御ボックス３内に設けられた光源部１３は、屋根部５に設けられた光源部１３と同一構成なので、屋根部５に設けられた光源部１３に関して図４を参照して以下に説明する。
【００２５】
図４に示すように、光源部１３には、本実施例における半導体光源としてのＬＥＤ１４（発光ダイオード）が配置されている。このＬＥＤ１４は、１つの基板１５上に複数配置されており、各々のＬＥＤ１４は、直進性の強い所定波長の単色光を発光するようになっている。尚、本実施例では、赤色の発光色を有するＬＥＤ１４と、緑色の発光色を有するＬＥＤ１４と、青色の発光色を有するＬＥＤ１４と、の３種類（三原色）のＬＥＤ１４が用いられている。
【００２６】
前述した制御ボックス３には、光源部１３のＬＥＤ１４を制御するための制御基板（図示略）や、ＬＥＤ照明装置１の外部から導入された電力を光源部１３に供給するための電源部（図示略）が配置されている（図１参照）。また、屋根部５の光源部１３には、前述した電気ケーブル１２により電力及び制御信号等を導くようになっている（図５参照）。
【００２７】
各々のＬＥＤ１４は、所定のタイミングで所望の発光色のＬＥＤ１４を発光させるように制御基板（図示略）により制御されている。そして、光源部１３は、各種ＬＥＤ１４が発する単色光以外に、該単色光を組み合わせた合成色の発光を行うこともできる。
【００２８】
図４に示すように、光源部１３と容器部９との間には、透光性を有する合成樹脂等の材質で形成された仕切板１６が設けられている。この仕切板１６の両面には、後述するプリズムシート８（回折格子フィルム）が貼り付けられている。
【００２９】
光源部１３において、ＬＥＤ１４は仕切板１６を介して容器部９の外部から内部に向かって光を入射させるように配置されている。尚、容器部９と仕切板１６とにより本実施例における容器体が構成されている。また、光源部１３には、ＬＥＤ１４からの発光や、仕切板１６の表面にて反射された光を容器部９内部に向かって反射させる反射板１７が設けられている。
【００３０】
本実施例において、カバー板７や容器部９や仕切板１６に貼り付けられているプリズムシート８（回折格子フィルム）について説明する。プリズムシート８は、透光性を有する合成樹脂等の材質でシート状に形成されている。光を透過させることができ、プリズムのように様々な波長の混ざった光から所定の波長の光を取り出せる回折格子として構成されたシートである。プリズムシート８を透過した光は回折されて拡散されるようになっている。
【００３１】
尚、回折格子であるプリズムシート８を仕切板１６や容器部９やカバー板７にプリズムシート８を貼り付けることで、仕切板１６や容器部９やカバー板７が回折格子として構成される。また、このように複数枚のプリズムシート８を積層配置することで、後述するように、ＬＥＤ１４からの発光が、プリズムシート８によって複数回回折されながら発光部４の外方に放射され、直進性の強いＬＥＤ１４の光であっても均等に拡散させることができる。
【００３２】
図６に示すように、２つの容器部９の上下に配置された光源部１３のＬＥＤ１４が発光すると、ＬＥＤ１４からの発光が仕切板１６を透過して容器部９内に入射される。尚、ＬＥＤ１４からの発光は、反射板１７にて反射されてから容器部９内に入射させることもできる。更に、仕切板１６におけるＬＥＤ１４側の表面に設けられたプリズムシート８にて回折されて反射された光が、反射板１７にて更に反射された後、仕切板１６を透過して容器部９内に入射することもできる。
【００３３】
また、光源部１３では、容器部９内に向かって入射されるＬＥＤ１４の発光以外に照射される発光を、全て反射板１７にて反射させるようになっており、ＬＥＤ１４からの発光が直接ＬＥＤ照明装置１の外方に照射されないようになっている。
【００３４】
仕切板１６を透過した光は、仕切板１６における容器部９側の表面に設けられたプリズムシート８によっても回折されて拡散され、容器部９の内部空洞１０に入射される。そして、容器部９の内面に貼り付けられたプリズムシート８に回折反射されたり、容器部９を透過したりする。
【００３５】
尚、容器部９の形状が側面視で略紡錘形状をなしていることで、容器部９における前後面は、前後方向（外方）に膨出するように湾曲された湾曲面１８となっている。この容器部９の湾曲面１８の内面側で反射された光は、プリズムシート８によって回折反射されながら上下の容器部９が連結される連結部１１に集中されるようになっている。
【００３６】
また、光源部１３に配置されたＬＥＤ１４は、連結部１１に向かって光を照射するように配置されており、ＬＥＤ１４から直進される光によっても連結部１１に光が集中されるようになっている。連結部１１に光が集中すると、連結部１１が光源部１３と同じようにぼんやりと光って見えるようになり、連結部１１を擬似的な光源部とすることができる。尚、連結部１１が本実施例における光集中部として構成されている。
【００３７】
容器部９を透過した光は、容器部９の内面及び外面に貼り付けられたプリズムシート８により複数回回折されながら容器部９の外部に放射される。そして、光は、カバー板７の内面に貼り付けられたプリズムシート８にて回折反射され、かつ容器部９の外面のプリズムシート８にて更に回折反射されたりしながら、カバー板７を透過してカバー板７の外部に放射されるようになっている。
【００３８】
以上、本実施例におけるＬＥＤ照明装置１では、少なくとも一部が透光性を有する材質で形成されて内部空洞１０を有する容器部９が設けられ、この容器部９が光を回折させる回折格子として構成され、ＬＥＤ１４からの発光を容器部９の外部から内部に向かって照射する光源部１３が設けられていることで、光源部１３から放射された光が容器部９を透過したり、容器部９内で反射される度に、複数回回折されて容器部９の表面から外部に放射され、容器部９の表面をほぼ均等に面発光させることができ、かつＬＥＤ１４からの発光が、回折により弱められることなく、容器部９の表面から放射されるようになり、容器部９の発光する表面の輝度を向上させることができる。
【００３９】
また、光源部１３には、仕切板１６の表面にて回折反射された光を仕切板１６内部に向かって反射させる反射板１７が設けられていることで、光源部１３から放射される光が仕切板１６の表面にて回折されて反射され、その光をさらに反射板１７にて反射させて仕切板１６に向かって導き、再び仕切板１６の表面で回折させてから容器部９内部に入射させることで、入射された光がより広い範囲で均等な光となって容器部９内部で広がるようになり、容器部９の表面を均等な発光面とすることができる。尚、別途、回折格子となる部材を追加することなく、光源部１３に反射板１７を設けるだけで、ＬＥＤ１４からの発光にように直進性の強い光を回折回数を増やして拡散させることができる。
【００４０】
また、容器部９の一部には、光源部１３からの光が集中される光集中部としての連結部１１が形成されていることで、連結部１１に光が集中されるため、この連結部１１が擬似的な光源部として構成されるようになり、ＬＥＤ照明装置１全体の光度を向上させることができる。
【００４１】
また、容器部９は、少なくとも一部が前後方向（外方）に膨出された形状となっていることで、容器部９を外方に膨出された部位（湾曲面１８）に光源部１３からの発光が照射されると、膨出された部位全体が均等に面発光されるようになり、容器部９における光源部１３から近い部位と遠い部位とで面発光に斑が生じないようにできる。
【００４２】
また、容器部９を覆うフレーム部材６やカバー板７が設けられ、この少なくとも容器部９からの発光が透過するカバー板７が、透光性を有する材質で形成され、かつ光を回折させる回折格子として構成されていることで、容器部９にて回折された光がカバー板７でも回折されるため、光源部１３から放射された光が回折される回数を増やして、カバー板７の表面を面発光させることができる。
【００４３】
また、複数の容器部９が連結される連結部１１が形成され、各々の容器部９には、連結部１１に向かってＬＥＤ１４からの発光を照射するように光源部１３が設けられていることで、連結部１１に光が集中されるため、この連結部１１が擬似的な光源部として構成されるようになり、ＬＥＤ照明装置１全体の光度を向上させることができる。
【００４４】
尚、光源部１３には、単色光を発光するＬＥＤ１４が配置されていることで、プリズムシート８（回折格子フィルム）により光が分散されても、所定の色で発光するＬＥＤ照明装置１を作製することができる。
【００４５】
尚、光源部１３には、それぞれ異なる単色光を発光する複数のＬＥＤ１４が配置され、制御基板（図示略）によって各単色毎にＬＥＤ１４を切り換えて発光させることで、複数の発光色を切り換えて発光させることができ、１つのＬＥＤ照明装置１を用いて様々な発光色を照射することができる。
【００４６】
尚、風雨に曝されるカバー板７の外面側には、プリズムシート８を貼り付けないようにし、カバー板７の内面側にプリズムシート８を貼り付けたことで、傷付き易いプリズムシート８が保護されるようになる。
【実施例２】
【００４７】
次に、実施例２に係るＬＥＤ照明装置１ａにつき、図７を参照して説明する。尚、前記実施例に示される構成部分と同一構成部分に付いては同一符号を付して重複する説明を省略する。図７は、実施例２におけるＬＥＤ照明装置１ａを示す概念側面図である。
【００４８】
図７に示すように、実施例２におけるＬＥＤ照明装置１ａでは、３つの容器部９が上下方向に直線状に並設されている。尚、前記実施例１と同様に、仕切板１６の両面、容器部９の内面及び外面、カバー板７の内面には、プリズムシート８（回折格子フィルム）が貼り付けられている。
【００４９】
ＬＥＤ１４が配置された光源部１３は、上部の容器部９の上方側、及び下部の容器部９の下方側に設けられており、各光源部１３のＬＥＤ１４は、容器部９の並設方向に向かって発光するように配置されている。
【００５０】
以上、実施例２におけるＬＥＤ照明装置１ａでは、複数の容器部９が直線状に並設され、光源部１３がＬＥＤ１４からの発光を容器部９の並設方向に向かって照射することで、容器部９の並設方向（上下方向）に長く延びる発光する表面（発光部４）を有する長身なＬＥＤ照明装置１ａを作製することができる。
【実施例３】
【００５１】
次に、実施例３に係るＬＥＤ照明装置１ｂにつき、図８を参照して説明する。尚、前記実施例に示される構成部分と同一構成部分に付いては同一符号を付して重複する説明を省略する。図８は、実施例３におけるＬＥＤ照明装置１ｂを示す概念側面図である。
【００５２】
図８に示すように、実施例３におけるＬＥＤ照明装置１ｂでは、１つの容器部９が設けられている。尚、前記実施例１と同様に、仕切板１６の両面、容器部９の内面には、プリズムシート８（回折格子フィルム）が貼り付けられている。
【００５３】
このように１つの容器部９を有するＬＥＤ照明装置１ｂであっても、ＬＥＤ１４からの発光が、仕切板１６の両面、容器部９の内面及び外面にて、少なくとも３回回折された後、外方に放射されるため、容器部９の表面を均一に面発光させることができる。
【実施例４】
【００５４】
次に、実施例４に係るＬＥＤ照明装置１ｃにつき、図９を参照して説明する。尚、前記実施例に示される構成部分と同一構成部分に付いては同一符号を付して重複する説明を省略する。図９は、実施例４におけるＬＥＤ照明装置１ｃを示す概念側面図である。
【００５５】
図９に示すように、実施例４におけるＬＥＤ照明装置１ｃでは、２つの容器部９が左右に並設され、かつ容器部９の下部同士が連結されて、側面視で略Ｖ字形状をなすように配置されている。尚、前記実施例１と同様に、仕切板１６の両面、容器部９の内面及び外面には、プリズムシート８（回折格子フィルム）が貼り付けられている。
【００５６】
このように略Ｖ字形状をなすように容器部９を配置すれば、左右の容器部９の互いに対向する面同士から発光した光が、互いに容器部９の外面にて回折反射し合うようになり、更に、容器部９の外面を均一な発光面とすることができる。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、仕切板１６の両面、容器部９の内面及び外面、カバー板７の内面にプリズムシート８（回折格子フィルム）を貼り付けることで、仕切板１６、容器部９、カバー板７を回折格子として構成しているが、仕切板１６、容器部９、カバー板７自体の表面に直接回折格子としての加工を施してもよい。
【００５９】
また、前記実施例では、ＬＥＤ１４からの発光や、仕切板１６の表面にて反射された光を容器部９内部に向かって反射させる反射板１７が設けられているが、この反射板１７の表面にプリズムシート８を貼り付けたり、反射板１７の表面に加工を施すことで、反射板１７自体を回折格子として構成してもよい。
【００６０】
また、前記実施例では、半導体光源としてＬＥＤ１４（発光ダイオード）を用いたが、半導体光源はＬＥＤ１４に限らず、例えば、ＬＤ（半導体レーザ）などの半導体素子を用いた光源ならばいかなるものでもよい。
【００６１】
また、前記実施例では、容器部９が側面視で略紡錘形状をなし、容器部９の前後面が前後方向に膨出する湾曲面１８として形成され、この容器部９の湾曲面１８の内面側で反射された光が、光集中部としての連結部１１に向かって集中されるようになっているが、容器部９の形状は、外方に膨出する形状ならばいかなる形状でもよく、例えば、容器部９の一部の面が外方に膨出するように構成された多角面として、この多角面にて反射された光が、光集中部としての連結部１１に向かって集中されるようにしてもよい。
【００６２】
また、前記実施例では、容器部９全体が光を透過する材質で形成していたが、容器部９の一部の部位が非透過性の材質で形成されていてもよい。
【００６３】
また、前記実施例では、透光性を有する合成樹脂等の材質で形成されたカバー板７と金属製のフレーム部材６とで、カバー体が構成されており、カバー板７のみから容器部９からの発光が外部に透光されるようになっているが、フレーム部材６を含めてカバー体を構成する部材の全てを透光性を有する材質で形成してもよい。
【００６４】
また、前記実施例では、合成樹脂等で形成された容器部９やカバー板７を用いて発光部４を形成しているが、例えば、回折格子をなすプリズムシートを袋状に繋ぎ合せて、そのプリズムシートの袋体の内部に空気圧を掛けて膨らますことにより容器体を形成するようにしてもよいし、或いは、金属、木材、樹脂等からなる曲線形状をなすフレーム（柱、梁、メッシュ部材、格子部材）に、プリズムシートを適当な張力を加えて貼り付けることにより、容器体を形成してもよい。
【００６５】
また、前記実施例では、仕切板１６、容器部９、カバー板７を形成する材質として透光性を有する合成樹脂を用いたが、仕切板１６、容器部９、カバー板７を形成する材質は、透光性を有する材質であればいかなる材質でもよく、例えば、透明なガラス等であってもよい。
【００６６】
また、前記実施例では、容器部９の横断平面視における形状が矩形状をなしているが、容器部９の横断平面視における形状は、矩形状に限らず円形状や三角形状をなしていてもよい。
【００６７】
また、前記実施例では、主に屋外等に設置される街灯として使用されるＬＥＤ照明装置１に本発明を適用しているが、本発明は街灯に限らず屋内で使用する照明装置に適用してもよく、例えば、卓上の電気スタンドの発光部に本発明を適用してもよい。
【図面の簡単な説明】
【００６８】
【図１】実施例１におけるＬＥＤ照明装置を示す斜視図である。
【図２】ＬＥＤ照明装置を示す正面図である。
【図３】ＬＥＤ照明装置を示す側面図である。
【図４】ＬＥＤ照明装置の光源部を示す拡大縦断側面図である。
【図５】図２におけるＬＥＤ照明装置を示すＡ−Ａ拡大端面図である。
【図６】ＬＥＤ照明装置を示す概念側面図である。
【図７】実施例２におけるＬＥＤ照明装置を示す概念側面図である。
【図８】実施例３におけるＬＥＤ照明装置を示す概念側面図である。
【図９】実施例４におけるＬＥＤ照明装置を示す概念側面図である。
【符号の説明】
【００６９】
１，１ａ          ＬＥＤ照明装置
１ｂ，１ｃ        ＬＥＤ照明装置
２                ベース部
３                制御ボックス
４                発光部
５                屋根部
６                フレーム部材（カバー体）
７                カバー板（カバー体）
８                プリズムシート（回折格子）
９                容器部（容器体）
１０              内部空洞
１１              連結部（光集中部）
１２              電気ケーブル
１３              光源部
１４              ＬＥＤ（半導体光源）
１５              基板
１６              仕切板（容器体）
１７              反射板
１８              湾曲面
【図１】
2009093832.tif 000003
【図２】
2009093832.tif 000004
【図３】
2009093832.tif 000005
【図４】
2009093832.tif 000006
【図５】
2009093832.tif 000007
【図６】
2009093832.tif 000008
【図７】
2009093832.tif 000009
【図８】
2009093832.tif 000010
【図９】
2009093832.tif 000011